(57)【要約】      （修正有）【課題】構造を簡易にし、部品点数を減らすことにより、折りたたみ可能でありながらも、従来のものに比べて、経済性、生産性が高い折りたたみ収納具を提供する。【解決手段】本体部と１つの側面部と折り返し部から全体を構成する。本体部には、全体が矩形シート状に形成され、折曲すると三角筒状体となるように、幅方向と平行に２本の折り線が設けられる。側面部は、本体部の開口端部の一つに側面を形成するものであり、その一辺を本体部に固着し、側面部の本体部に固着された辺と隣り合う辺のうち一つの辺のみから支持片を延設し、本体部に固着する。【選択図】図２
0003233239.tif 000002
【実用新案登録請求の範囲】
【請求項１】
二本の直線状の折り線によって全体が三つの矩形状の領域に分割されており、前記折り線に沿って全体が折曲されることにより、三角筒状体を形成する矩形薄板状の本体形成部と、
三角形状の輪郭の薄板状に形成され、前期領域のうち中央の領域の側端部に、その一辺が固着されており、起立することにより、前記三角筒状体の開口端部に側面を形成する側面形成部と、
前記側面形成部から延設され、端部が前記本体形成部に固着され、前記本体形成部を折曲した際に、前記側面形成部を起立させた状態で支持する支持片とを有しており、
前記支持片は、側面形成部に一つだけ設けられるものであり、三角形状の輪郭の薄板状であって、前記側面形成部の前記本体形成部に固着された辺に隣り合う辺のうち一つの辺のみから延設され、前記端部は前記側面形成部が固着された領域に隣り合う領域に固着されており、前記延設部分と前記固着部分はいずれも回動自在となっており、前記延設部分の辺と前記固着部分の辺の角度が、１８０度から前記側面形成部の前記本体形成部に固着された辺とが形成する角度を引いた値の半分の大きさとなるように形成され、前記固着部分の辺と前記側面形成部が固着された前記側端部の辺とが、前記延設部分の辺と前記固着部分の辺との角度と同じ角度をなすように、本体形成部に固着されており、前記側面形成部が固着された領域と前記支持片が設けられた領域との折曲の度合いに応じて起立する、
折りたたみ収納具。
【請求項２】
前記本体形成部の全体を折曲して三角筒状態を形成した際に、相互に突き合う一対の側端部のうち一方に、折り返し部が、折り返し線を介して、延設されており、
前記折り返し部は、他方の側端部と重なり合い、重なり合う部分には、前記折り返し部を前記側端部に離脱自在に固定するための固定部が設けられている、
請求項1記載の折りたたみ収納具。
【考案の詳細な説明】
【技術分野】
【０００１】
本考案は、折りたたみ式の収納具に関するものである。
【背景技術】
【０００２】
収納具は、収納物を保護するために頑丈であると同時に、使用しないときには、できるだけ嵩張らないようなものであることが望ましいが、従来存在している不使用時にコンパクトに折りたたむことができる収納具にあっては、通常の収納具に比べて、構造がやや複雑で、部品点数が増えてしまい、結果的に、経済性、生産性があまり高くなかった。
【考案の概要】
【考案が解決しようとする課題】
【０００３】
そこで、本考案は、構造を簡単にし、部品点数を減らすことにより、折りたたみ可能でありながらも、従来のものに比べて、経済性、生産性の高い折りたたみ収納具を提供することを目的とする。
【課題を解決するための手段】
【０００４】
上記目的を達成するために本考案の折りたたみ収納具は、二本の直線状の折り線によって全体が三つの矩形状の領域に分割されており、前記折り線に沿って全体が折曲されることにより、三角筒状体を形成する矩形薄板状の本体形成部と、三角形状の輪郭の薄板状に形成され、前記領域のうち中央の領域の一側端部に、その一辺が固着されており、起立することにより、前記三角筒状体の開口端部の一つに側面を形成する側面形成部と、前記側面形成部から延設され、端部が前記本体形成部に固着され、前記本体形成部を折曲した際に、前記側面形成部を起立させた状態で支持する支持片とを有しており、前記支持片は、側面形成部に一つだけ設けられるものであり、三角形状の輪郭の薄板状であって、前記側面形成部の前記本体形成部に固着された辺に隣り合う辺のうち一つの辺のみから延設され、前記端部は前記側面形成部が固着された領域に隣り合う領域に固着されており、前記延設部分と前記固着部分はいずれも回動自在となっており、前記延設部分の辺と前記固着部分の辺の角度が、１８０度から前記側面形成部の前記本体形成部に固着された辺と前記延設部分の辺とが形成する角度を引いた値の半分の大きさとなるように形成され、前記固着部分の辺と前記側面形成部が固着された前記側端部の辺とが、前記延設部分の辺と前記固着部分の辺との角度と同じ角度をなすように、本体形成部に固着されており、前記側面形成部が固着された領域と前記支持片が設けられた領域との折曲の度合いに応じて起立する。このように、支持片を、側面形成部の一辺から延設したことから、折りたたみ可能でありながら、構造が簡単で、部品点数が少なく、経済性、生産性を向上させることができる。
【考案の効果】
【０００５】
本考案によると、折りたたみ収納具の構造を簡易にし、部品点数を減らすことにより、経済性、生産性を高めるという目的を完全に達成できる著効を奏するものである。
【図面の簡単な説明】
【０００６】
【図１】図１は、本考案収納具を折りたたんだ画像である。
【図２】図２は、本考案眼収納具を広げる過程の画像である。
【図３】図３は、本考案収納具を立てる過程の画像である。
【図４】図４は、本考案収納具を立てる直前状態の画像である。
【図５】図５は、本考案収納具を立てた状態の画像である。
【実施例１】
【０００７】
図１は、本考案収納具を折りたたんだ状態であって、コンパクトにすることが簡単にできる。
【０００８】
図２は、本考案収納具を広げている途中の画像であって、開くことが簡単にできる。
【０００９】
図３は、本考案収納具の底部分が開いていく途中の状態を示している。
【００１０】
図４は、本考案収納具を三角筒状体にする直前の状態を示している。
【００１１】
図５は、本考案収納具を組み立て完了した状態を示している。
【図１】
0003233239.tif 000003
【図２】
0003233239.tif 000004
【図３】
0003233239.tif 000005
【図４】
0003233239.tif 000006
【図５】
0003233239.tif 000007
【手続補正書】
【提出日】令和3年6月2日(2021.6.2)
【手続補正１】
【補正対象書類名】実用新案登録請求の範囲
【補正対象項目名】全文
【補正方法】変更
【補正の内容】
【実用新案登録請求の範囲】
【請求項１】
二本の直線状の折り線によって全体が三つの矩形状の領域に分割されており、前記折り線に沿って全体が折曲されることにより、三角筒状体を形成する矩形薄板状の本体形成部と、
三角形状の輪郭の薄板状に形成され、前記領域のうち中央の領域の側端部に、その一辺が固着されており、起立することにより、前記三角筒状体の開口端部に側面を形成する側面形成部と、
前記側面形成部から延設され、端部が前記本体形成部に固着され、前記本体形成部を折曲した際に、前記側面形成部を起立させた状態で支持する支持片とを有しており、
前記支持片は、側面形成部に一つだけ設けられるものであり、三角形状の輪郭の薄板状であって、前記側面形成部の前記本体形成部に固着された辺に隣り合う辺のうち一つの辺のみから延設された延設部分であり、前記端部は前記側面形成部が固着された領域に隣り合う領域に固着されており、前記延設部分と前記端部が固着された部分はいずれも回動自在となっており、前記延設部分の辺と前記固着部分の辺の角度が、１８０度から前記側面形成部の前記本体形成部に固着された辺とが形成する角度を引いた値の半分の大きさとなるように形成され、前記固着部分の辺と前記側面形成部が固着された前記側端部の辺とが、前記延設部分の辺と前記固着部分の辺との角度と同じ角度をなすように、本体形成部に固着されており、前記側面形成部が固着された領域と前記支持片が設けられた領域との折曲の度合いに応じて起立する、折りたたみ収納具。
【請求項２】
前記本体形成部の全体を折曲して三角筒状態を形成した際に、相互に突き合う一対の側端部のうち一方に、折り返し部が、折り返し線を介して、延設されており、
前記折り返し部は、他方の側端部と重なり合い、重なり合う部分には、前記折り返し部を前記側端部に離脱自在に固定するための固定部が設けられている、
請求項1記載の折りたたみ収納具。